(57)【要約】【課題】再グループ化ための処理を行った場合に、グループに対してグループ設定情報を設定しなおす必要がなくなる情報処理方法、情報処理装置およびプログラムを提供する。【解決手段】実施形態の情報処理方法は、第１グループに含まれる複数の第１画像のうち１以上の第１画像と、第２グループに含まれる複数の第２画像のうち１以上の第２画像とを含む第３グループに再グループ化するための処理を行い、第１グループに対して設定された第１設定情報と、第２グループに対して設定された第２設定情報とを用いて、第３グループの第３設定情報を設定する。【選択図】図３
2015106388.tif 000002
【特許請求の範囲】
【請求項１】
情報処理方法であって、
第１グループに含まれる複数の第１画像のうち１以上の第１画像と、第２グループに含まれる複数の第２画像のうち１以上の第２画像とを含む第３グループに再グループ化するための処理を行い、
前記第１グループに対して設定された第１設定情報と、前記第２グループに対して設定された第２設定情報とを用いて、前記第３グループの第３設定情報を設定する、
情報処理方法。
【請求項２】
前記第１設定情報は、前記第１グループに含まれる１以上の第１画像に設定された設定情報に基づいて設定され、
前記第２設定情報は、前記第２グループに含まれる１以上の第２画像に設定された設定情報に基づいて設定される請求項１に記載の情報処理方法。
【請求項３】
前記第１設定情報は、前記第１グループに含まれる第１画像の表示を、許可することまたは禁止することを示す情報であり、
前記第２設定情報は、前記第２グループに含まれる第２画像の表示を、許可することまたは禁止することを示す情報であり、
前記第３設定情報は、前記第３グループに含まれる第１画像または第２画像の表示を、許可することまたは禁止することを示す情報であることを前記第３設定情報とする請求項２に記載の情報処理方法。
【請求項４】
前記第３グループの代表画像が選択された場合に、前記第３グループに含まれる第１画像および第２画像のうち表示が許可された画像を表示させる請求項３に記載の情報処理方法。
【請求項５】
前記第１グループの第１画像および前記第２グループの第２画像に含まれるオブジェクトに基づいて、前記第３グループに再グループ化するための処理を行う請求項１に記載の情報処理方法。
【請求項６】
第１グループに含まれる複数の第１画像のうち１以上の第１画像と、第２グループに含まれる複数の第２画像のうち１以上の第２画像とを含む第３グループに再グループ化するための処理を行う分類部と、
前記第１グループに対して設定された第１設定情報と、前記第２グループに対して設定された第２設定情報とを用いて、前記第３グループの第３設定情報を設定する設定部と、
を備えた情報処理装置。
【請求項７】
前記第１設定情報は、前記第１グループに含まれる１以上の第１画像に設定された設定情報に基づいて設定され、
前記第２設定情報は、前記第２グループに含まれる１以上の第２画像に設定された設定情報に基づいて設定される請求項６に記載の情報処理装置。
【請求項８】
前記第１設定情報は、前記第１グループに含まれる第１画像の表示を、許可することまたは禁止することを示す情報であり、
前記第２設定情報は、前記第２グループに含まれる第２画像の表示を、許可することまたは禁止することを示す情報であり、
前記第３設定情報は、前記第３グループに含まれる第１画像または第２画像の表示を、許可することまたは禁止することを示す情報であることを前記第３設定情報とする請求項７に記載の情報処理装置。
【請求項９】
前記第３グループの代表画像が選択された場合に、前記第３グループに含まれる第１画像および第２画像のうち表示が許可された画像を表示させる表示制御部を備えた請求項８に記載の情報処理装置。
【請求項１０】
前記分類部は、前記第１グループの第１画像および前記第２グループの第２画像に含まれるオブジェクトに基づいて、前記第３グループに再グループ化するための処理を行う請求項７に記載の情報処理装置。
【請求項１１】
コンピュータを、
第１グループに含まれる複数の第１画像のうち１以上の第１画像と、第２グループに含まれる複数の第２画像のうち１以上の第２画像とを含む第３グループに再グループ化するための処理を行う分類部と、
前記第１グループに対して設定された第１設定情報と、前記第２グループに対して設定された第２設定情報とを用いて、前記第３グループの第３設定情報を設定する設定部と、
として機能させるためのプログラム。
【請求項１２】
前記第１設定情報は、前記第１グループに含まれる１以上の第１画像に設定された設定情報に基づいて設定され、
前記第２設定情報は、前記第２グループに含まれる１以上の第２画像に設定された設定情報に基づいて設定される請求項１１に記載のプログラム。
【請求項１３】
前記第１設定情報は、前記第１グループに含まれる第１画像の表示を、許可することまたは禁止することを示す情報であり、
前記第２設定情報は、前記第２グループに含まれる第２画像の表示を、許可することまたは禁止することを示す情報であり、
前記第３設定情報は、前記第３グループに含まれる第１画像または第２画像の表示を、許可することまたは禁止することを示す情報であることを前記第３設定情報とする請求項１２に記載のプログラム。
【請求項１４】
前記第３グループの代表画像が選択された場合に、前記第３グループに含まれる第１画像および第２画像のうち表示が許可された画像を表示させる表示制御部を備えた請求項１３に記載のプログラム。
【請求項１５】
前記分類部は、前記第１グループの第１画像および前記第２グループの第２画像に含まれるオブジェクトに基づいて、前記第３グループに再グループ化するための処理を行う請求項１３に記載のプログラム。
【発明の詳細な説明】
【技術分野】
【０００１】
本発明の実施形態は、情報処理方法、情報処理装置およびプログラムに関する。
【背景技術】
【０００２】
複数の画像に含まれる顔画像を検出し、検出した顔画像の特徴量の類似度に基づいて当該複数の画像をグループに分類する技術が開示されている。
【先行技術文献】
【特許文献】
【０００３】
【特許文献１】特開２０１３−５８１８９号公報
【発明の概要】
【発明が解決しようとする課題】
【０００４】
しかしながら、グループに対して各種の設定が行われている場合に、再グループ化ための処理が行われると、再グループ化後のグループに対する設定をやりなおす必要がある。
【０００５】
本発明の一形態は、グループの設定を簡便に実現できる情報処理方法、情報処理装置およびプログラムを提供することを目的とする。
【課題を解決するための手段】
【０００６】
実施形態の情報処理方法は、第１グループに含まれる複数の第１画像のうち１以上の第１画像と、第２グループに含まれる複数の第２画像のうち１以上の第２画像とを含む第３グループに再グループ化するための処理を行い、第１グループに対して設定された第１設定情報と、第２グループに対して設定された第２設定情報とを用いて、第３グループの第３設定情報を設定する。
【図面の簡単な説明】
【０００７】
【図１】図１は、本実施形態にかかる情報処理装置の外観を模式的に示す図である。
【図２】図２は、本実施形態にかかる情報処理装置のハードウェア構成の一例を示すブロック図である。
【図３】図３は、本実施形態にかかる情報処理装置の機能構成を示すブロック図である。
【図４】図４は、本実施形態にかかる情報処理装置が記憶するコンテンツデータテーブルを示す図である。
【図５】図５は、本実施形態にかかる情報処理装置が記憶するオブジェクトデータテーブルを示す図である。
【図６】図６は、本実施形態にかかる情報処理装置によって表示される設定画面の一例を示す図である。
【図７】図７は、本実施形態にかかる情報処理装置によって表示される選択画面の一例を示す図である。
【図８】図８は、本実施形態にかかる情報処理装置によるグループ設定情報の設定処理の流れを示すフローチャートである。
【発明を実施するための形態】
【０００８】
以下、添付の図面を用いて、本実施形態にかかる情報処理方法、情報処理装置およびプログラムについて説明する。
【０００９】
図１は、本実施形態にかかる情報処理装置の外観を模式的に示す図である。本実施形態にかかる情報処理装置１００は、例えば、タブレット端末やデジタルフォトフレーム等により実現される。具体的には、情報処理装置１００は、図１に示すように、スレート型の筐体Ｂを備えている。筐体Ｂは、表示部１１を収納している。本実施形態では、筐体Ｂは、表示部１１が有する表示画面１１２を露出させる開口部Ｂ１を有した面（以下、上面という）を備えている。
【００１０】
表示部１１は、各種情報を表示可能な表示画面１１２と、当該表示画面１１２上に設けられ、ユーザによってタッチされた表示画面１１２上の位置を検出するタッチパネル１１１と、を備えている。また、筐体Ｂの上面の下部には、ユーザが各種操作を行う操作スイッチ１９およびユーザの音声を取得するためのマイク２１が配置されている。また、筐体Ｂの上面の上部には、音声を出力するためのスピーカ２２が配置されている。
【００１１】
図２は、本実施形態にかかる情報処理装置のハードウェア構成の一例を示すブロック図である。本実施形態では、情報処理装置１００は、上述の構成に加え、図２に示すようにＣＰＵ（Central  Processing  Unit）１２、システムコントローラ１３、グラフィックスコントローラ１４、タッチパネルコントローラ１５、加速度センサ１６、不揮発性メモリ１７、ＲＡＭ（Random  Access  Memory）１８、音声処理部２０、ジャイロセンサ２４、等を備えている。
【００１２】
表示部１１は、タッチパネル１１１と、ＬＣＤ（Liquid  Crystal  Display）や有機ＥＬ（Electro  Luminescence）等で構成される表示画面１１２と、を備えている。タッチパネル１１１は、例えば表示画面１１２上に配置された座標検出装置である。タッチパネル１１１は、筐体Ｂを把持したユーザの指によってタッチされた表示画面１１２上の位置（タッチ位置）を検出する。
【００１３】
ＣＰＵ１２は、システムコントローラ１３を介して情報処理装置１００の各部を制御するプロセッサである。ＣＰＵ１２は、不揮発性メモリ１７からＲＡＭ１８にロードされる、オペレーティングシステム、ウェブブラウザ、文章の作成に用いるソフトウェアなどの各種アプリケーションプログラムを実行する。
【００１４】
不揮発性メモリ１７は、各種アプリケーションプログラムや各種データを記憶する。本実施形態では、不揮発性メモリ１７は、表示画面１１２に表示対象（言い換えると、表示候補）の画像（例えば、情報処理装置１００が有する図示しないカメラの撮像により得られた撮像画像、外部機器から入力された画像など）を記憶する画像格納部１７１（図３参照）と、当該画像格納部１７１に記憶された画像に関する画像関連情報を記憶する画像情報管理部１７２（図３参照）と、として機能する。ＲＡＭ１８は、ＣＰＵ１２がプログラムを実行する際の作業領域を提供する。
【００１５】
システムコントローラ１３には、不揮発性メモリ１７およびＲＡＭ１８にアクセス制御するメモリコントローラを内蔵している。また、システムコントローラ１３は、グラフィックスコントローラ１４との通信を実行する機能を有している。
【００１６】
グラフィックスコントローラ１４は、表示画面１１２を制御する表示コントローラである。タッチパネルコントローラ１５は、タッチパネル１１１を制御し、ユーザによってタッチされた表示画面１１２上のタッチ位置を示す座標データをタッチパネル１１１から取得する。
【００１７】
ジャイロセンサ２４は、情報処理装置１００がＸ軸、Ｙ軸およびＺ軸の各軸周りに回転した場合における回転角度を検出する。そして、ジャイロセンサ２４は、Ｘ軸、Ｙ軸およびＺ軸の各軸周りの回転角度を示す回転角度信号をＣＰＵ１２に出力する。
【００１８】
加速度センサ１６は、情報処理装置１００の加速度を検出する。本実施形態では、加速度センサ１６は、図１に示すＸ軸、Ｙ軸およびＺ軸の各軸方向の加速度、および各軸周りの回転方向の加速度を検出する。そして、加速度センサ１６は、図１に示すＸ軸、Ｙ軸およびＺ軸の各軸方向の加速度および各軸周りの回転方向の加速度を示す加速度信号をＣＰＵ１２に出力する。
【００１９】
音声処理部２０は、マイク２１より入力される音声信号に、デジタル変換、ノイズ除去、エコーキャンセル等の音声処理を施してＣＰＵ１２に出力する。また、音声処理部２０は、ＣＰＵ１２の制御のもとで、音声合成等の音声処理を施して生成した音声信号をスピーカ２２へ出力する。
【００２０】
次に、図３〜５を用いて、本実施形態にかかる情報処理装置１００の機能構成について説明する。図３は、本実施形態にかかる情報処理装置の機能構成を示すブロック図である。図４は、本実施形態にかかる情報処理装置が記憶するコンテンツデータテーブルを示す図である。図５は、本実施形態にかかる情報処理装置が記憶するオブジェクトデータテーブルを示す図である。
【００２１】
図３に示すように、情報処理装置１００は、ＣＰＵ１２が不揮発性メモリ１７に記憶されたプログラムを実行することにより、画像認識部１２１および画像選択画面生成部１２２を実現する。また、本実施形態では、タッチパネル１１１は、ユーザが情報処理装置１００に対して各種操作を入力するためのユーザインタフェース２００として機能する。また、本実施形態では、不揮発性メモリ１７は、表示画面１１２への表示対象の画像を記憶する画像格納部１７１、および当該画像格納部１７１に記憶された画像に関する画像関連情報を記憶する画像情報管理部１７２として機能する。
【００２２】
画像認識部１２１は、ユーザインタフェース２００を介して、画像格納部１７１に記憶された画像（コンテンツ）の認識が指示されると、画像格納部１７１に記憶された各画像を識別可能とするコンテンツＩＤと、当該コンテンツＩＤにより識別される画像の保存場所を示すコンテンツパスと、コンテンツＩＤにより識別される画像のメタデータ（画像に予め設定された設定情報の一例）と、を対応付けるコンテンツデータテーブル４００（図４参照）を画像関連情報として画像情報管理部１７２に記憶させる。本実施形態では、メタデータには、画像サイズ、画像が外部機器から取り込まれた取込日時、図示しないカメラの撮像により得られた撮像画像である場合には当該撮像画像の撮像条件（撮像画像の撮像場所，撮像日時，撮像者など）が含まれる。
【００２３】
次に、画像認識部１２１は、コンテンツデータテーブル４００のコンテンツＩＤにより識別される画像を、第１画像を含む第１グループと第２画像を含む第２グループとに分類する。ここでは、コンテンツデータテーブル４００のコンテンツＩＤにより識別される画像を、２つのグループ（第１グループおよび第２グループ）に分類する例について説明するが、３以上のグループに分類することも可能である。また、画像認識部１２１は、同一の画像を複数のグループに分類可能である。具体的には、画像認識部１２１は、まず、コンテンツデータテーブル４００のコンテンツＩＤにより識別された各画像から、オブジェクト（オブジェクト画像）を検出する。例えば、画像認識部１２１は、コンテンツデータテーブル４００のコンテンツＩＤにより識別される画像が、図示しないカメラの撮像により得られた撮像画像である場合には、図示しないカメラにより撮像した被写体（例えば、顔画像など）をオブジェクトとして検出する。
【００２４】
そして、画像認識部１２１は、画像から検出したオブジェクトに基づいて、当該画像を、１つまたは複数のグループに分類する。具体的には、画像認識部１２１は、画像それぞれから検出したオブジェクト毎に、当該オブジェクトに類似するオブジェクトを含む画像を１つのグループに分類する。これにより、画像認識部１２１は、同一の画像から複数のオブジェクトを検出した場合には、当該複数のオブジェクトそれぞれのグループに、同一の画像を分類することにより、同一の画像を複数のグループに分類することが可能である。
【００２５】
本実施形態では、画像認識部１２１は、画像に含まれるオブジェクトの類似度に基づいて、画像をグループに分類しているが、これに限定するものではなく、画像のメタデータやオブジェクトに予め設定された画像設定情報（図５参照）に基づいて、当該画像をグループに分類しても良い。
【００２６】
また、画像認識部１２１（分類部の一例）は、画像格納部１７１に新たな画像が記憶された場合、画像格納部１７１から画像が削除された場合、ユーザインタフェース２００を介して各グループに既に分類された複数の画像を再グループ化するための処理の実行が指示された場合などに、コンテンツデータテーブル４００のコンテンツＩＤにより識別される画像（すなわち、第１グループに含まれる第１画像および第２グループに含まれる第２画像）を、第１グループに含まれる複数の第１画像のうち１以上の第１画像と、第２グループに含まれる複数の第２画像のうち１以上の第２画像とを含む第３グループに再グループ化する処理を行う。
【００２７】
再グループ化処理は、前回の分類方法（例えば、オブジェクトの類似度に基づいてグループに分類する方法）と同様の分類方法を用いても良いし、前回の分類方法とは異なる分類方法（例えば、画像のメタデータや当該画像に予め設定された画像設定情報（図５参照）などに基づいてグループに分類する方法）を用いても良い。
【００２８】
ただし、画像認識部１２１は、画像格納部１７１への新たな画像の記憶や画像格納部１７１からの画像の削除を行わずに再グループ化処理を行う場合、前回、画像をグループに分類した方法と同様の方法で行うと画像の組み合わせが同じグループに分類される可能性がある。その場合、画像認識部１２１は、前回の分類方法とは異なる分類方法を用いる。これにより、画像認識部１２１は、グループに含まれる画像を、画像の組み合わせが異なる複数のグループに分類しなおすことが可能である。
【００２９】
また、画像認識部１２１は、グループに含まれる各画像に対して（第１グループに含まれる１以上の第１画像および第２グループに含まれる１以上の第２画像それぞれに対して）、表示部１１への表示を許可または表示部１１への表示を禁止することを示す設定情報の一例である表示設定（本実施形態では、表示部１１への表示を許可する場合には「表示」、表示部１１への表示を禁止する場合には「非表示」）など各種の画像設定情報を設定する。そして、画像認識部１２１は、図５に示すように、画像から検出したオブジェクト（例えば、顔画像など）を識別可能とする顔ＩＤと、当該顔ＩＤにより識別されるオブジェクトを検出した画像（コンテンツ）のコンテンツＩＤ（以下、検出元コンテンツＩＤと言う）と、当該検出元コンテンツＩＤにより識別される画像が分類されたグループを識別可能とする顔グループＩＤと、検出元コンテンツＩＤにより識別される画像に設定された設定情報の一例である画像設定情報と、を対応付けるオブジェクトデータテーブル５００を画像関連情報として画像情報管理部１７２に記憶させる。
【００３０】
本実施形態では、画像設定情報には、検出元コンテンツＩＤにより識別される画像の表示設定、画像の色合い、画像の鮮明度、画像の撮像シーン、画像が撮像された季節、画像に含まれるオブジェクトを示すオブジェクト情報（例えば、顔画像，動植物，建物，ロゴマークなど）、画像に含まれる人物（オブジェクトの一例）の性別，年齢，笑顔度などが含まれる。本実施形態では、画像認識部１２１は、画像をグループに分類した初期状態においては、言い換えると、後述する設定画面６００（図６参照）において表示設定が変更される前においては、画像設定情報に含まれる表示設定に「表示」を設定する。
【００３１】
また、画像認識部１２１は、画像をグループに分類した場合に、グループ毎に、当該グループに含まれる１以上の画像に設定された画像設定情報（またはメタデータ）に基づく情報を、当該グループに対して設定されたグループ設定情報（第１設定情報および第２設定情報の一例であり、例えば、グループに含まれる画像に対する処理を定めるための情報、グループに含まれる画像に設定された設定情報の設定状態を表す情報など）とする。また、画像認識部１２１（設定部の一例）は、再グループ化処理を行った場合も同様にして、再グループ化処理後のグループ（第３グループの一例）に対して、再グループ化処理前のグループ（第１グループおよび第２グループの一例）に対して設定されたグループ設定情報（第１設定情報および第２設定情報）を用いて、当該グループのグループ設定情報（第３設定情報の一例）を設定する。言い換えると、画像認識部１２１は、再グループ化するための処理後のグループに対して、当該グループに含まれる画像に設定された画像設定情報（またはメタデータ）に基づく情報を、再グループ化処理後のグループに対して設定されたグループ設定情報とする。本実施形態では、画像認識部１２１は、再グループ化処理後のグループに含まれる画像に設定された画像設定情報（またはメタデータ）を集約した情報を、当該グループに設定されたグループ設定情報とする。これにより、再グループ化処理後の各グループに含まれる画像に設定された画像設定情報（またはメタデータ）が、再グループ化処理後の各グループのグループ設定情報として取り扱われ、再グループ化処理を行った場合に、グループに対するグループ設定情報を動的に変化させることができるので、再グループ化処理を行った場合に、グループに対してグループ設定情報を設定しなおす必要がなくなる。
【００３２】
本実施形態では、画像認識部１２１は、グループ設定情報の設定対象のグループ（第３グループの一例）に含まれる少なくとも１つの画像に設定された表示設定が「表示」を示している場合、設定対象のグループに含まれる画像の表示を許可することをグループ設定情報とし、グループ設定情報の設定対象のグループに含まれる少なくとも１つの画像に設定された表示設定が「非表示」を示している場合、設定対象のグループに含まれる画像の表示を禁止することをグループ設定情報とする。すなわち、画像認識部１２１は、設定対象のグループに含まれる少なくとも１つの画像の画像設定情報が含む表示設定が「表示」を示している場合、画像の表示を許可することをグループ設定情報とする。一方、画像認識部１２１は、設定対象のグループに含まれる全ての画像に設定された表示設定が「非表示」を示している場合、設定対象のグループに含まれる画像の表示を禁止することをグループ設定情報とする。
【００３３】
本実施形態では、画像認識部１２１は、画像情報管理部１７２に記憶されたコンテンツデータテーブル４００およびオブジェクトテーブル５００を用いて、各グループのグループ設定情報を設定する。グループ設定情報の設定処理の詳細については後述する。
【００３４】
画像選択画面生成部１２２は、ユーザインタフェース２００を介して、各グループに含まれる画像の表示設定の変更が指示されると、グループ毎に、当該グループに含まれる画像の表示設定を変更可能な設定画面を、表示部１１の表示画面１１２に表示させる。
【００３５】
図６は、本実施形態にかかる情報処理装置によって表示される設定画面の一例を示す図である。画像選択画面生成部１２２は、ユーザインタフェース２００を介して、各グループに含まれる画像の表示設定の変更が指示されると、図６に示すように、グループ毎に当該グループに含まれる画像Ｇが配置されかつ各画像Ｇの表示設定を変更可能なチェックボックスＣを含む設定画面６００を表示画面１１２に表示させる。情報処理装置１００のユーザは、ユーザインタフェース２００を介して、各画像ＧのチェックボックスＣをチェック状態または非チェック状態とする。
【００３６】
上述した画像認識部１２１は、設定画面６００に表示された画像Ｇが分類されたグループについて、当該画像ＧのうちチェックボックスＣがチェック状態になった画像Ｇの画像設定情報に含まれる表示設定を「表示」に変更する。一方、画像認識部１２１は、設定画面６００に表示された画像Ｇが分類されたグループについて、当該画像ＧのうちチェックボックスＣが非チェック状態になった画像Ｇの画像設定情報に含まれる表示設定を「非表示」に変更する。これにより、画像認識部１２１は、図５に示すように、顔グループＩＤ毎に（例えば、「００１」，「０００」，「００２」）、同一の検出元コンテンツＩＤと対応付けられた表示設定をそれぞれ異ならせることができる。
【００３７】
また、画像選択画面生成部１２２（表示制御部の一例）は、画像の表示を許可することを示すグループ設定情報が設定されたグループを代表する代表画像（本実施形態では、グループに含まれる画像の表示指示に用いる画像）を生成して表示部１１に表示させる。具体的には、画像選択画面生成部１２２は、グループ設定情報が画像の表示を許可することを示すグループについては、当該グループに含まれる画像のうち表示設定が「表示」を示す画像（以下、表示用画像と言う）に基づいて、代表画像を生成する。一方、画像選択画面生成部１２２は、グループ設定情報が画像の表示を禁止することを示すグループについては、当該グループに含まれる画像に基づいて、代表画像を生成する。
【００３８】
本実施形態では、画像選択画面生成部１２２は、ユーザインタフェース２００を介して、グループの代表画像を含む選択画面の生成が指示されると、グループ設定情報が画像を表示することを示すグループについては、当該グループに含まれる表示用画像から検出したオブジェクト（例えば、顔画像など）のうち、所定の選択条件を満たすオブジェクトを、代表画像として生成する。一方、画像選択画面生成部１２２は、グループ設定情報が画像の表示を禁止することを示すグループについては、当該グループに含まれる画像から検出したオブジェクトのうち、所定の選択条件を満たすオブジェクトを代表画像として生成する。
【００３９】
ここで、所定の選択条件は、代表画像として相応しいオブジェクトを選択するための条件であり、例えば、コンテンツデータテーブル４００のメタデータが含む撮像日時が最も古い画像から検出されたこと、オブジェクトデータテーブル５００の画像設定情報が含む笑顔度または鮮明度が最も高い表示用画像に含まれることなどである。
【００４０】
そして、画像選択画面生成部１２２は、全てのグループの代表画像が生成されると、全てのグループの代表画像が配置された選択画面を表示部１１の表示画面１１２に表示させる。図７は、本実施形態にかかる情報処理装置によって表示される選択画面の一例を示す図である。本実施形態では、画像選択画面生成部１２２は、図７に示すように、全てのグループの代表画像ＲＧが配置され、かつ各グループのグループ設定情報が画像の表示を許可すること若しくは画像の表示を禁止することを示すチェックボックスＲＣを含む選択画面７００を表示画面１１２に表示させる。
【００４１】
画像選択画面生成部１２２は、代表画像ＲＧに対応するグループに設定されたグループ設定情報が、画像の表示を許可することを示している場合には、当該代表画像ＲＧのチェックボックスＲＣをチェック状態とし、代表画像ＲＧに対応するグループに設定されたグループ設定情報が、画像の表示を禁止することを示している場合には、当該代表画像ＲＧのチェックボックスＲＣを非チェック状態とする。
【００４２】
画像認識部１２１は、ユーザインタフェース２００を介して、代表画像ＲＧのチェックボックスＲＣがチェック状態から非チェック状態へと変更された場合（すなわち、グループに含まれる画像の表示を禁止することを示すグループ設定情報が入力された場合）、オブジェクトデータテーブル５００において、チェックボックスＲＣが非チェック状態に変更された代表画像ＲＧに対応するグループに含まれる全ての画像の検出元コンテンツＩＤと対応付けられた表示設定を「非表示」に変更する。
【００４３】
一方、画像認識部１２１は、ユーザインタフェース２００を介して、代表画像ＲＧのチェックボックスＲＣが非チェック状態からチェック状態へと変更された場合（すなわち、グループに含まれる画像の表示を許可することを示すグループ設定情報が入力された場合）、オブジェクトデータテーブル５００において、チェックボックスＲＣがチェック状態に変更された代表画像ＲＧに対応するグループに含まれる全ての画像の検出元コンテンツＩＤと対応付けられた表示設定を「表示」に変更する。
【００４４】
つまり、画像認識部１２１は、グループ設定情報が入力された場合、入力されたグループ設定情報が設定されたグループに含まれる画像の画像設定情報を、入力されたグループ設定情報に基づいて変更する。これにより、グループ設定情報を変更するだけで、当該グループ設定情報が設定されたグループに含まれる複数の画像それぞれ設定された画像設定情報を変更することができるので、複数の画像それぞれの画像設定情報を別々に設定しなおす必要が無くなる。
【００４５】
本実施形態では、画像選択画面生成部１２２は、チェックボックスＲＣをチェック状態または非チェック状態とすることにより、画像の表示を許可することを示すグループ設定情報が設定されたグループと、画像の表示を禁止することを示すグループ設定情報が設定されたグループとを区別可能としているが、これに限定するものではない。例えば、画像選択画面生成部１２２は、代表画像ＲＧを非表示若しくはグレーアウト等させることにより、画像の表示を許可することを示すグループ設定情報が設定されたグループと、画像の表示を禁止することを示すグループ設定情報が設定されたグループとの表示態様を異ならせても良い。
【００４６】
そして、画像選択画面生成部１２２は、ユーザインタフェース２００を介して、表示画面１１２に表示された選択画面に配置された代表画像のうち、画像の表示を許可することを示すグループ設定情報が設定されたグループに対応する代表画像（図７において、チェックボックスＲＣがチェック状態となっている代表画像ＲＧ）が選択された場合、選択された代表画像に対応するグループに含まれる画像（表示用画像）を表示部１１の表示画面１１２に表示させる。これにより、情報処理装置１００のユーザは、グループ毎に、各グループに含まれる画像のうち表示用画像を閲覧することができる。
【００４７】
本実施形態では、画像選択画面生成部１２２は、各グループに含まれる表示用画像に含まれるオブジェクト（例えば、顔画像）を、代表画像として生成しているが、これに限定するものではない。例えば、画像選択画面生成部１２２は、各グループに含まれる表示用画像全体、各グループに含まれる複数の表示用画像を含む画像などを、代表画像として生成しても良い。
【００４８】
次に、図８を用いて、本実施形態にかかる情報処理装置１００によるグループ設定情報の設定処理について詳細に説明する。図８は、本実施形態にかかる情報処理装置によるグループ設定情報の設定処理の流れを示すフローチャートである。
【００４９】
画像認識部１２１は、複数の画像を複数のグループに分類した場合若しくは再グループ化処理を行った場合に、全てのグループに対してグループ設定情報が設定されるまで、グループ毎に以下の処理（ステップＳ８０２〜ステップＳ８０７）を繰り返す（ステップＳ８０１）。
【００５０】
まず、画像認識部１２１は、複数のグループのうちグループ設定情報を設定する設定対象のグループに対して、当該グループに含まれる画像の表示を禁止することをグループ設定情報として、グループ設定情報を初期化する（ステップＳ８０２）。
【００５１】
次いで、画像認識部１２１は、設定対象のグループに含まれる複数の画像のうち、コンテンツデータテーブル４００において、コンテンツＩＤと対応付けられたメタデータに含まれる撮像日時が古い画像から順に、グループ設定情報の設定に用いる利用対象の画像とする（ステップＳ８０３）。
【００５２】
具体的には、画像認識部１２１は、まず、オブジェクトデータテーブル５００において設定対象のグループの顔グループＩＤと対応付けられた顔ＩＤを特定する。次いで、画像認識部１２１は、オブジェクトデータテーブル５００において、特定した顔ＩＤと対応付けられた検出元コンテンツＩＤを特定する。さらに、画像認識部１２１は、特定した検出元コンテンツＩＤ（コンテンツＩＤ）のうち、コンテンツデータテーブル４００において古い撮像日時（メタデータ）と対応付けられた検出元コンテンツＩＤ（コンテンツＩＤ）により識別される画像から順に、利用対象の画像とする。
【００５３】
そして、画像認識部１２１は、オブジェクトデータテーブル５００において、利用対象の画像の検出元コンテンツＩＤと対応付けられた表示設定が「表示」になっているか否かを判断する（ステップＳ８０４）。画像認識部１２１は、利用対象の画像の検出元コンテンツＩＤと対応付けられた表示設定が「表示」になっている場合（ステップＳ８０４：Ｙｅｓ）、設定対象のグループに対して、画像の表示を許可することをグループ設定情報とする（ステップＳ８０５）。
【００５４】
一方、画像認識部１２１は、利用対象の画像の検出元コンテンツＩＤと対応付けられた表示設定が「非表示」となっている場合（ステップＳ８０４：Ｎｏ）、ステップＳ８０３へ戻る（ステップＳ８０６）。画像認識部１２１は、設定対象のグループに含まれる全ての画像についてステップＳ８０４に示す処理を行った場合には、ステップＳ８０７に進む。
【００５５】
画像認識部１２１は、設定対象のグループに含まれる全ての画像の検出元コンテンツＩＤと対応付けて記憶された表示設定が「非表示」となっていた場合、設定対象のグループに含まれる画像の表示設定に基づいて、設定対象のグループに含まれる画像の表示を禁止することを、当該設定対象のグループに設定されたグループ設定情報とする。
【００５６】
一方、画像認識部１２１は、設定対象のグループに含まれる全ての画像についてステップＳ８０４に示す処理が行われていない場合には、ステップＳ８０３に戻り（ステップＳ８０６）、設定対象グループに含まれる画像のうち、コンテンツデータテーブル４００において、コンテンツＩＤと対応付けられたメタデータに含まれる撮像日時が次に古い画像を、利用対象の画像とする。
【００５７】
そして、画像認識部１２１は、全てのグループに対してグループ設定情報が設定された場合には、グループ設定情報を設定する処理を終了し、全てのグループのグループ設定情報が設定されていない場合には、ステップＳ８０１に戻る（ステップＳ８０７）。
【００５８】
このように、本実施形態の情報処理装置１００によれば、再グループ化処理後の各グループに含まれる画像に設定された画像設定情報（またはメタデータ）を、再グループ化処理後の各グループのグループ設定情報として取り扱われ、再グループ化処理を行った場合に、グループに対するグループ設定情報を動的に変化させることができるので、再グループ化処理を行った場合に、グループに対してグループ設定情報を設定しなおす必要がなくなる。
【００５９】
本実施形態では、画像認識部１２１は、設定対象のグループに含まれる画像に予め設定された設定情報の一例である表示設定（画像設定情報）に基づく情報を、グループ設定情報とする例について説明したが、これに限定するものではない。例えば、画像認識部１２１は、画像の印刷を許可または禁止することを示す情報、画像の印字を許可または禁止することを示す情報、画像を表示する際に所定の画像処理を施すか否かを示す情報、画像をリンク先として設定可能か否かを示す情報などの設定情報に基づく情報を、グループ設定情報とすることも可能である。
【００６０】
本実施形態の情報処理装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６１】
また、本実施形態の情報処理装置１００で実行されるプログラムを、インターネット等のネットワークに接続されたコンピュータ上に格納し、ネットワーク経由でダウンロードさせることにより提供するように構成しても良い。また、本実施形態の情報処理装置１００で実行されるプログラムをインターネット等のネットワーク経由で提供または配布するように構成しても良い。
【００６２】
本実施形態の情報処理装置１００で実行されるプログラムは、上述した各部（画像認識部１２１、画像選択画面生成部１２２）を含むモジュール構成となっており、実際のハードウェアとしてはＣＰＵ（プロセッサ）が上記記憶媒体からプログラムを読み出して実行することにより上記各部が主記憶装置上にロードされ、画像認識部１２１、画像選択画面生成部１２２が主記憶装置上に生成されるようになっている。
【００６３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００６４】
１００  情報処理装置
１１  表示部
１２  ＣＰＵ  
１３  システムコントローラ
１４  グラフィックスコントローラ
１５  タッチパネルコントローラ
１７  不揮発性メモリ
１８  ＲＡＭ
１１１  タッチパネル
１１２  表示画面
１２１  画像認識部
１２２  画像選択画面生成部
１７１  画像格納部
１７２  画像情報管理部
２００  ユーザインタフェース
４００  コンテンツデータテーブル
５００  オブジェクトデータテーブル
【図１】
2015106388.tif 000003
【図２】
2015106388.tif 000004
【図３】
2015106388.tif 000005
【図４】
2015106388.tif 000006
【図５】
2015106388.tif 000007
【図６】
2015106388.tif 000008
【図７】
2015106388.tif 000009
【図８】
2015106388.tif 000010